(57)【要約】      （修正有）【課題】太陽光パネル装置をはじめとする屋外構造物において、傾斜面の下方側段差部における冠雪を安価かつ効果的に防止することのできる、冠雪防止具を提供する。【解決手段】太陽光パネル装置等の屋外構造物１０における所定の傾斜面１１の下方側において突出形成された下方側段差部１２に配置されて冠雪を防止する冠雪防止具１Ａであって、下方側段差部１２に沿って傾斜面１１に接着される接着底部と、滑雪させるために滑らかな傾斜に形成されている滑雪傾斜部と、下方側段差部１２の段差をなくしうる高さに形成されてなる段差側端部と、を有している。【選択図】図１
2017103979.tif 000002
【特許請求の範囲】
【請求項１】
太陽光パネル装置等の屋外構造物における所定の傾斜面の下方側において突出形成された下方側段差部に配置されて冠雪を防止する冠雪防止具であって、
前記下方側段差部に沿って前記傾斜面に接着される接着底部と、滑雪させるために滑らかな傾斜に形成されている滑雪傾斜部と、前記接着底部と前記滑雪傾斜部とにより略鋭角状に形成されてなる鋭角状縁部と、この鋭角状縁部とは反対側の端部であって前記下方側段差部の段差をなくしうる高さに形成されてなる段差側端部と、を有しており、
前記接着底部には、前記滑雪傾斜部の傾斜方向と直交する方向に沿って接着材を配置するための接着用溝が形成されている、前記冠雪防止具。
【請求項２】
前記接着用溝にテープ状の接着材が貼付されている、請求項１に記載の冠雪防止具。
【請求項３】
前記段差側端部の上縁部が前記接着底部と略平行方向に延出されてなる上縁延出部を有する、請求項１または請求項２に記載の冠雪防止具。
【請求項４】
前記上縁延出部の先端が鋭角状に形成されている、請求項３に記載の冠雪防止具。
【請求項５】
前記接着底部には、前記滑落傾斜部の傾斜方向と直交する方向に所定の間隔で複数本の切断用縦溝が形成されている、請求項１から請求項４のいずれかに記載の冠雪防止具。
【請求項６】
前記鋭角状縁部の最先端を、下方側に湾曲させてなる湾曲状先端部が形成されている、請求項１から請求項５のいずれかに記載の冠雪防止具。
【請求項７】
前記滑雪傾斜部の傾斜角度が５度〜２５度に形成されている、請求項１から請求項６のいずれかに記載の冠雪防止具。
【発明の詳細な説明】
【技術分野】
【０００１】
本発明は、屋外構造物における冠雪を防止する冠雪防止具であって、特に太陽光パネル上の冠雪防止に好適な冠雪防止具に関するものである。
【背景技術】
【０００２】
太陽光パネル装置等の屋外構造物では、雪が降って冠雪すると様々な弊害が起こりうる。例えば、太陽光パネル装置の受光面である太陽光パネルが冠雪すると、太陽光パネルによる受光が妨げられるため発電ができない、あるいは発電効率が著しく低下する。
【０００３】
そこで、従来の太陽光パネル装置では、太陽光パネルを所定の角度以上に傾斜させることにより、雪を自重で滑雪させて冠雪を防止しているものもある。しかし、従来の太陽光パネル装置においては、図１２に示すように、太陽光パネルとこれを固定する固定フレームとの連結部分には、約９０度に形成された段差が存在している。このように約９０度に形成された下方側の段差部には、前記太陽光パネルの傾斜面を自重によって滑り落ちる雪が堆積してしまう。そして、その下方側段差部に堆積した雪に新たに滑雪してくる雪が結合し、冠雪している状態が持続してしまう。太陽光パネルのセル同士は電気的に直列に接続されているため、一部のセルが冠雪により覆われただけでも、装置全体が発電しなくなってしまう。よって、太陽光パネルの下方側の一部が冠雪し続けるただけでも大きな問題となる。
【０００４】
したがって、上述のような問題を解決するために、従来、太陽光パネルの傾斜面の段差に雪が堆積しないようにする発明が提案されている。
【０００５】
例えば、特開２００３−２２９５９１号公報には、太陽光を受光して発電する板状の太陽電池モジュールを備え、前記太陽電池モジュールの受光面は傾斜させて設置され、前記太陽電池モジュールの周囲に形成された枠体が存在し、この枠体の下方が前記受光面の外面より外側に張り出した状態において、前記受光面の外面と、前記枠体との間に雪が滑落できる傾斜面を設けてなる、太陽電池用冠雪防止構造が提案されている（特許文献１）。そして、具体的な実施例として前記枠体の縁部を斜め状に形成して傾斜面を構成したものが開示されている。
【先行技術文献】
【特許文献】
【０００６】
【特許文献１】特開２００３−２２９５９１号公報
【発明の概要】
【発明が解決しようとする課題】
【０００７】
しかしながら、特許文献１に記載された発明では、枠体それ自体の構成に係る発明であるため、既設の太陽光パネル装置に適用するには枠体自体の交換が必要となり、製造コストや設置コスト、交換作業負担等の面や実用面で問題が残る。また、太陽光パネル装置を新設する場合であっても、重量の重い太陽光パネルを枠体で固定しているため、前記太陽光パネルと前記枠体との間に隙間ができ易く、生じた隙間に雪が挟まって堆積してしまうという問題もある。
【０００８】
本発明は、以上のような問題点を解決するためになされたものであって、太陽光パネル装置をはじめとする屋外構造物において、傾斜面の下方側段差部における冠雪を安価かつ効果的に防止することのできる、冠雪防止具を提供することを目的としている。
【課題を解決するための手段】
【０００９】
本発明に係る冠雪防止具は、太陽光パネル装置等の屋外構造物における所定の傾斜面の下方側において突出形成された下方側段差部に配置されて冠雪を防止する冠雪防止具であって、前記下方側段差部に沿って前記傾斜面に接着される接着底部と、滑雪させるために滑らかな傾斜に形成されている滑雪傾斜部と、前記接着底部と前記滑雪傾斜部とにより略鋭角状に形成されてなる鋭角状縁部と、この鋭角状縁部とは反対側の端部であって前記下方側段差部の段差をなくしうる高さに形成されてなる段差側端部と、を有しており、前記接着底部には、前記滑雪傾斜部の傾斜方向と直交する方向に沿って接着材を配置するための接着用溝が形成されている。
【００１０】
また、本発明の一態様として、前前記接着用溝にテープ状の接着材が貼付されていてもよい。
【００１１】
さらに、本発明の一態様として、前記段差側端部の上縁部が前記接着底部と略平行方向に延出されてなる上縁延出部を有していてもよい。
【００１２】
また、本発明の一態様として、前記上縁延出部の先端が鋭角状に形成されていてもよい。
【００１３】
さらに、本発明の一態様として、前記接着底部には、前記滑落傾斜部の傾斜方向と直交する方向に所定の間隔で複数本の切断用縦溝が形成されていてもよい。
【００１４】
また、本発明の一態様として、前記鋭角状縁部の最先端を、下方側に湾曲させてなる湾曲状先端部が形成されていてもよい。
【００１５】
さらに、本発明の一態様として、前記滑雪傾斜部の傾斜角度が５度〜２５度に形成されていてもよい。
【発明の効果】
【００１６】
本発明によれば、太陽光パネル装置をはじめとする屋外構造物において、傾斜面の下方側段差部における冠雪を安価かつ効果的に防止することができる。
【図面の簡単な説明】
【００１７】
【図１】本発明に係る冠雪防止具の第一実施形態を示す使用状態図である。
【図２】本第一実施形態の冠雪防止具を示す側面図である。
【図３】本第一実施形態の冠雪防止具を示す底面図である。
【図４】本第一実施形態の冠雪防止具の使用状態を示す模式図である。
【図５】本発明に係る冠雪防止具の第二実施形態を示す背面図である。
【図６】本第二実施形態の冠雪防止具を示す底面図である。
【図７】図６におけるＡ−Ａ断面図である。
【図８】本第二実施形態における切断用縦溝の形状を（ａ）矩形状および（ｂ）台形状とした他の例を示す背面図である。
【図９】本発明に係る冠雪防止具の第三実施形態を示す側面図である。
【図１０】本第三実施形態において、（ａ）直角状に形成された下方側段差部に冠雪防止具を配置した場合、（ｂ）傾斜状に形成された下方側段差部に冠雪防止具を配置した場合、（ｃ）傾斜状に形成された下方側段差部に冠雪防止具を配置した場合の各使用状態を示す模式図である。
【図１１】本発明に係る冠雪防止具において、鋭角状縁部の先端に形成した湾曲状先端部を示す拡大側面図である。
【図１２】従来の太陽光パネル装置において、太陽光パネルの受光面と固定フレームとの間に生じる段差に冠雪する状態を示す模式図である。
【発明を実施するための形態】
【００１８】
以下、本発明に係る冠雪防止具の第一実施形態について特に屋外構造物として太陽光パネル装置に適用される場合を例に図面を用いて説明する。
【００１９】
本第一実施形態の冠雪防止具１Ａは、図１に示すように、太陽光パネル装置等の屋外構造物１０における所定の傾斜面１１の下方側において突出形成されている下方側段差部１２に配置されるものである。冠雪防止具１Ａは、図２に示すように、側面視で略直角三角形状に形成されており、太陽光パネル１０の傾斜面１１に接着される接着底部２と、滑雪させるために所定の傾斜角度に形成されている滑雪傾斜部３と、前記接着底部２と前記滑雪傾斜部３とにより略鋭角状に形成されてなる鋭角状縁部４と、この鋭角状縁部４とは反対側の端部に形成されている段差側端部５と、を有している。以下、各構成について詳細に説明する。
【００２０】
接着底部２は、図２および図３に示すように、冠雪防止具１Ａを太陽光パネル１０の下方側段差部１２に沿って取り付ける際に前記太陽光パネル１０に接着されて固定される部分であり、接着材７を配置する接着用溝６を有している。
【００２１】
接着用溝６は、接着底部２を接着材７で固定するときに前記接着材７の厚みによって鋭角状縁部４と太陽光パネル１０との間に隙間が生じないような深さと幅に形成されている。本第一実施形態では、接着材７としてテープ状に形成された両面テープを使用しており、その幅と厚さに合わせて、前記接着用溝６は、幅約１５ｍｍ、深さ約０．２ｍｍの断面略矩形状の溝として形成されている。
【００２２】
なお、接着用溝６の形状は、断面略矩形状のものに限定されるものではなく、接着材７に応じて例えば断面略半円状等、接着材７を収容可能な形状であれば他の形状に形成してもよい。また、接着用溝６は、１本に限らず、長手方向に沿った複数本の溝から構成されていてもよい。さらに、接着材７は、テープ状のものに限定されるものではなく、液状のもの等から適宜選択してもよい。
【００２３】
滑雪傾斜部３は、太陽光パネル１０と固定フレーム１３によって形成された約９０度の段差を滑らかな下り傾斜にすることで太陽光パネル１０の傾斜面１１に降り積もった雪をその自重によって滑雪させるためのものであり、滑雪効果を最大限引き出すために所定の傾斜角度に形成されている。ここで、滑雪傾斜部３の傾斜角度は、小さ過ぎると下流側段差部１２の高さに合わせるために傾斜方向に長くなってしまい太陽光パネル１０の受光を妨げるおそれがある。逆に傾斜角度が大きすぎると、雪が滑雪しづらくなる。このため滑雪傾斜部３の傾斜角度は、５度〜２５度に形成されているのが好ましい。本第一実施形態では、滑雪傾斜部３の傾斜角度を約１０度に形成している。
【００２４】
鋭角状縁部４は、接着底部２と滑雪傾斜部３とで構成される部分であり、冠雪防止具１Ａにおいて滑雪する雪と最初に接する部分である。よって、鋭角状縁部４は、太陽光パネル１０の傾斜面１１から滑雪傾斜部３へと滑雪し易いように略鋭角状に形成されている。
【００２５】
段差側端部５は、鋭角状縁部４とは反対側の端部として形成されている。段差側端部５は、下方側段差部１２の段差をなくしうる高さ、つまり当該段差と同等ないし同等以上の高さとなるように形成されており、その段差をなくすことにより滑雪傾斜部３から前記下方側段差部１２の上面に雪を滑らせて堆積しないようになっている。
【００２６】
なお、前述の通り、段差側端部５の高さは、下方側段差部１２の段差と同等ないし同等以上との記載を用いているが、実用上、滑雪効果が得られる範囲を規定したものであり、当該段差よりも僅かに低く形成されるなどしても滑雪効果を奏する以上、本願発明の概念に含まれる。
【００２７】
また、冠雪防止具１Ａの素材は、本第一実施形態ではコストや耐候性に優れ、切断も容易なアクリル樹脂を採用しているが、これに限定されるものではなく、他の樹脂や金属、その他の適切な素材から適宜選択してもよい。
【００２８】
次に、本第一実施形態の冠雪防止具１Ａにおける各構成の作用について説明する。
【００２９】
冠雪防止具１Ａは、下方側段差部１２の長手方向の幅に合わせて長さ調整される。長さが足りない場合や長すぎる場合には、適宜連結ないし切断して長さを調整すればよい。
【００３０】
長さが調整された冠雪防止具１Ａは、図１および図４に示すように、太陽光パネル１０の傾斜面１１と固定フレーム１３との接合部分に形成される下方側段差部１２の幅方向に沿って配置される。本第一実施形態では、接着用溝６に貼付されているテープ状の接着材７によって接着底部２を傾斜面１１に接着させて固定する。このとき、テープ状の接着材７が相当な厚みを有していても接着用溝６によって前記接着材７を完全に収容するため、鋭角状縁部４と太陽光パネル１０との間に隙間を生じさせることはない。また、図１に示すように、縦方向に段積みにされた太陽電池パネル１０に対しては、それぞれの固定フレーム１３に別途、後付けで配置することができる。
【００３１】
太陽光パネル１０では、降り積もった雪が自重によって傾斜面１１に沿って下方側へ滑雪し、下方側段差部１２に到達すると、鋭角状縁部４により滑雪してきた雪を滑雪傾斜部３へと案内する。このとき、鋭角状縁部４が、上述のとおり、太陽光パネル１０との間に隙間なく設置されているため、雪は堆積せずに滑雪傾斜部３へ滑る。
【００３２】
滑雪傾斜部３では、傾斜角度が５度〜２５度の比較的低い角度で形成されているため、太陽光パネル１０と固定フレーム１３によって形成された約９０度の段差を滑らかな下り傾斜とし、この下り傾斜を介して雪を段差側端部５へと滑らせる。段差側端部５は、下方側段差部１２の段差をなくしうる高さに形成されていることから、滑雪傾斜部３によって案内された雪は、前記下方側段差部１２の上面へと滑って移動し、太陽光パネル１０の下方へ落下するため冠雪が防止される。
【００３３】
以上のような本第一実施形態の冠雪防止具１Ａによれば、以下の効果を得ることができる。
１．太陽光パネル装置等の屋外構造物１０における様々な下方側段差部１２に別途、設置することができるため、屋外構造物１０が新設・既設に関係なく設置することができる。
２．鋭角状縁部４と傾斜面１１との間に隙間が生じないようにしているため、降り積もる雪を自重によって滑らせて冠雪を防止することができる。
３．滑雪傾斜部３の傾斜角度を５度〜２５度としたことにより、太陽光パネル１０等の機能を阻害せずかつ確実に滑雪を促すことができる。
【００３４】
次に、本発明に係る冠雪防止具の第二実施形態について図５から図８を用いて説明する。なお、本第二実施形態の冠雪防止具１Ｂのうち、上述した第一実施形態の構成と同等または相当する構成については、再度の説明を省略する。
【００３５】
本第二実施形態の冠雪防止具１Ｂは、図５および図６に示すように、接着底部２に下方側段差部１２の幅方向の長さに合わせて当該冠雪防止具１Ｂの長さを調整するために用いられる複数本の切断用縦溝８を有している。
【００３６】
切断用縦溝８は、冠雪防止具１Ｂを折り曲げることで容易に切断できるように形成された溝であり、図５および図６に示すように、滑落傾斜部４の傾斜方向と直交する方向において所定の間隔を隔てて形成されている。本第二実施形態における切断用縦溝８は、図５に示すように、背面視において略二等辺三角形状に形成されており、冠雪防止具１Ｂに曲げ応力が加えられた場合に、最深部８１に応力が集中するようになっている。また、前記最深部８１は、図７に示すように、滑雪傾斜部３と略平行に形成されており、前記最深部８１における肉厚を均一にすることでせん断応力が均一にかかり、切断面が綺麗な平面状で切断可能になっている。
【００３７】
なお、切断用縦溝８は、背面視において略二等辺三角形に形成されているものに限定されるものではなく、図８に示すように、矩形状や台形状等から適宜選択してよい。
【００３８】
次に、本第二実施形態の冠雪防止具１Ｂにおける各構成の作用について説明する。
【００３９】
冠雪防止具１Ｂは、下方側段差部１２の幅方向の長さに合わせて長さ調整される。この長さ調整の際には、前記冠雪防止具１Ｂの任意の切断用縦溝８に沿って曲げ応力を加えて切断すれば綺麗かつ簡単に長さを調整することができる。
【００４０】
以上のような本第二実施形態の冠雪防止具１Ｂによれば、第一実施形態の効果に加えて、カッター等の工具を使わずに曲げ応力を加えるだけで簡単に切断用縦溝８に沿って切断することができ、冠雪防止具１Ｂの長さを下方側段差部の幅に合わせて調整することができる。
【００４１】
次に、本発明に係る冠雪防止具の第三実施形態について図９および図１０を用いて説明する。なお、本第三実施形態の冠雪防止具１Ｃのうち、上述した第一実施形態の構成と同等または相当する構成については、再度の説明を省略する。
【００４２】
本第三実施形態の冠雪防止具１Ｃは、図９に示すように、段差側端部５の上縁部から延出された上縁延出部９を有する。つまり、上縁延出部９は、図１０（ａ）に示すように、下方側段差部１２が直角状に形成されている場合のみならず、図１０（ｂ）や（ｃ）に示すように、下方側段差部１２が傾斜状に形成されている場合等、様々な形状の下方側段差部１２に対応可能な構成であり、前記下方側段差部１２を覆う上縁延出部９を備えた点を特徴としている。
【００４３】
上縁延出部９は、図９および図１０に示すように、段差側端部５の上縁部であって下方側段差部１２よりも高い位置に相当する部分を前記接着底部２と略平行方向に延出して構成される。また、上縁延出部９は、雪切れをし易くするため、先端が鋭角状に形成されている。一方、段差側端部５の下縁部側は、下方側段差部１２の形状に合わせて適宜、邪魔にならないような傾斜状に形成されている。よって、図１０（ａ）や（ｃ）に示すように、必ずしも下方側段差部１２の傾斜に合致する下縁部を備えていなくても、当該冠雪防止具１Ｃを設置することができる。
【００４４】
次に、本第三実施形態の冠雪防止具１Ｃにおける各構成の作用について説明する。
【００４５】
冠雪防止具１Ｃは、図１０に示すように、第一実施形態と同様、太陽光パネル１０の傾斜面１１と固定フレーム１３との接合部分に形成される下方側段差部１２の幅方向に沿って配置される。このとき、図１０に示すように、上縁延出部９が延出された部分によって前記下方側段差部１２を滑雪傾斜部３から連続的に覆う。よって、段差側端部５が、下方側段差部１２の形状と同一のものでなくても段差をなくするように配置することができ、雪を滑雪傾斜部３から上縁延出部９へと滑らせて、太陽光パネル１０の下へと落下させることができる。
【００４６】
また、上縁延出部９では、鋭角状に形成された先端によって雪が付着しづらくなるため、いわゆる雪庇のように、上縁延出部９の裏面へ雪が巻き込んで残雪されるのを防止する。
【００４７】
以上のような本第三実施形態の冠雪防止具１Ｃによれば、第一実施形態の効果に加えて、冠雪防止具１Ｃを様々な形状の下方側段差部１２に設置することが可能となる。また、本第三実施形態においても、第二実施形態と同様、切断用縦溝８を形成して、適宜、下方側段差部１２の幅に合わせて切断しやすい構成を採用してもよい。
【００４８】
なお、本発明に係る冠雪防止具は、前述した各実施形態に限定されるものではなく、適宜変更することができる。
【００４９】
例えば、図１１に示すように、鋭角状縁部４の最先端を下方側に鳥の嘴のように湾曲延出させた湾曲状先端部４１を形成してもよい。このような湾曲状先端部４１により、テープ状接着材７の厚さが厚すぎた場合や経年変化によって先端が浮き上がった場合等、鋭角状縁部４が浮き上がる状況が生じた場合であっても、太陽光パネル１０と接着底部２との間に隙間を生じにくくすることができる。
【００５０】
また、図示しないが、上縁延出部９も折り曲げることで切断できるように、上縁延出部９の裏面に切断用縦溝８を形成してもよい。
【符号の説明】
【００５１】
１Ａ，１Ｂ，１Ｃ  冠雪防止具
２  接着底部
３  滑雪傾斜部
４  鋭角状縁部
５  段差側端部
６  接着用溝
７  接着材
８  切断用縦溝
９  上縁延出部
１０  太陽光パネル（屋外構造物）
１１  傾斜面
１２  下方側段差部
１３  固定フレーム
４１  湾曲状先端部
８１  最深部
【図１】
2017103979.tif 000003
【図２】
2017103979.tif 000004
【図３】
2017103979.tif 000005
【図４】
2017103979.tif 000006
【図５】
2017103979.tif 000007
【図６】
2017103979.tif 000008
【図７】
2017103979.tif 000009
【図８】
2017103979.tif 000010
【図９】
2017103979.tif 000011
【図１０】
2017103979.tif 000012
【図１１】
2017103979.tif 000013
【図１２】
2017103979.tif 000014